(57)【要約】      （修正有）【課題】空間の雰囲気を効果的に演出することができる照明装置および照明システムを提供する。【解決手段】照明装置２０は、発光面２１ａと、発光面２１ａの外縁側に位置する上側面、下側面および右側面、左側面と、を有する面光源装置２１と、面光源装置２１を保持し、上側面、下側面のみ、又は、右側面、左側面の一部分及び上側面、下側面のみを覆う上フレーム、下フレームと、発光面２１ａの少なくとも一部を覆う第１の化粧シート６１ａと、右側面、左側面の少なくとも一部を覆う第２の化粧シート６１ｂ、６１ｃと、を備える。照明システム１は、壁に沿って配置された複数の照明装置と、縦目地化粧シートを備える。【選択図】図１
2019106291.tif 000002
【特許請求の範囲】
【請求項１】
発光面と、前記発光面の外縁側に位置する第１側面および前記第１側面に接続する第２側面と、を有する面光源装置と、
前記面光源装置を保持し、前記第１側面および前記第２側面のうちの前記第１側面のみ、又は、前記第１側面および前記第２側面のうちの前記第２側面の一部分及び前記第１側面のみを覆う保持部と、
前記発光面の少なくとも一部を覆う第１の化粧シートと、
前記第２側面の少なくとも一部を覆う第２の化粧シートと、を備える、照明装置。
【請求項２】
前記第２側面は、水平方向に対向する一対の面を有し、
前記第１側面は、水平方向と非平行な方向に対向する一対の面を有する、請求項１に記載の照明装置。
【請求項３】
前記第２の化粧シートと前記第２の化粧シートで覆われた前記第２側面との間に、前記第２側面から前記第２の化粧シートに向かう光の透過を抑制する少なくとも１つの光学層が設けられている、請求項１に記載の照明装置。
【請求項４】
前記第２の化粧シートと前記第２の化粧シートに覆われた前記第２側面との間に、前記第２側面から前記第２の化粧シートに向かう光を反射する反射層が設けられている、請求項１に記載の照明装置。
【請求項５】
前記第２の化粧シートと前記第２の化粧シートで覆われた前記第２側面との間に、前記第２側面から前記第２の化粧シートに向かう光を遮光する遮光層が設けられている、請求項１に記載の照明装置。
【請求項６】
前記第２の化粧シートと前記第２の化粧シートで覆われた前記第２側面との間に、前記第２側面から前記第２の化粧シートに向かう光を減光する減光層が設けられている、請求項１に記載の照明装置。
【請求項７】
前記発光面は、一軸方向に沿って出射光量が漸次変化し、
前記減光層は、前記一軸方向に沿って透過率が漸次変化している、請求項６に記載の照明装置。
【請求項８】
前記第２の化粧シートと前記反射層との間に、前記第２側面から前記第２の化粧シートに向かう光を遮光する遮光層または前記第２側面から前記第２の化粧シートに向かう光を減光する減光層が設けられている、請求項４に記載の照明装置。
【請求項９】
前記第２の化粧シートと前記減光層との間に、前記第２側面から前記第２の化粧シートに向かう光を拡散する拡散層が設けられている、請求項６または７に記載の照明装置。
【請求項１０】
前記反射層は、第３の化粧シートである、請求項４または８に記載の照明装置。
【請求項１１】
前記第２の化粧シートは、前記第１の化粧シートと一体的に設けられている、請求項１〜１０のいずれか一項に記載の照明装置。
【請求項１２】
前記面光源装置は、
前記第２側面を少なくとも部分的に構成する導光板と、
前記保持部と前記第１側面との間に位置する光源と、を有する、請求項１〜１０のいずれか一項に記載の照明装置。
【請求項１３】
少なくとも１つの照明装置を備え、
前記照明装置は、
発光面と、前記発光面の外縁側に位置する第１側面および第２側面と、を有する面光源装置と、
前記面光源装置を保持し、前記第１側面および前記第２側面のうちの前記第１側面のみ、又は、前記第１側面および前記第２側面のうちの前記第２側面の一部分及び前記第１側面のみを覆う保持部と、
前記発光面の少なくとも一部を覆う第１の化粧シートと、
前記第２側面の少なくとも一部を覆う第２の化粧シートと、を備える、照明システム。
【請求項１４】
前記照明装置を複数備え、
前記複数の照明装置は、一軸方向に直交する直交方向に沿って並んでいる、請求項１３に記載の照明システム。
【請求項１５】
前記複数の照明装置は、前記直交方向に間隙部を空けて並んでいる、請求項１４に記載の照明システム。
【請求項１６】
前記一軸方向に沿って前記間隙部に位置する第４の化粧シートを更に備える、請求項１５に記載の照明システム。
【請求項１７】
前記複数の照明装置のそれぞれの面光源装置に対して前記一軸方向に位置する複数のボードと、
前記複数の照明装置のそれぞれの第１の化粧シートに対して前記一軸方向に位置し、前記複数のボードのそれぞれを覆う複数の第５の化粧シートと、を更に備える、請求項１６に記載の照明システム。
【請求項１８】
前記複数のボードおよび第５の化粧シートは、前記一軸方向において前記間隙部に連続する第２の間隙部を空けて前記直交方向に沿って並んでいる、請求項１７に記載の照明システム。
【請求項１９】
前記第４の化粧シートは、前記第２の間隙部にも位置する、請求項１７に記載の照明システム。
【請求項２０】
発光面と、前記発光面の外縁側に位置する、第１側面および前記第１側面と隣り合う第２側面と、を有する面光源装置と、
前記第１側面の少なくとも一部の領域に対面し、かつ、前記第２側面の少なくとも一部の領域に対面しないように構成された保持部であって、前記面光源装置を保持する前記保持部と、
前記発光面の少なくとも一部に対面する第１の化粧シートと、
前記第２側面の少なくとも一部に対面する第２の化粧シートと、を備える、照明装置。
【発明の詳細な説明】
【技術分野】
【０００１】
本開示は、照明装置および照明システムに関する。
【背景技術】
【０００２】
従来から、空間に光を射出することで空間を演出する技術が提案されている。例えば、特許文献１では、廻り縁ユニットと称される壁面に設置された間接照明装置を用いて、隠蔽されて直接的に視認され得ない光源からの光を、反射パネルや天井での反射によって間接的に空間に射出することで、天井の高さや壁面の広さが強調されるように空間を演出している。
【０００３】
特許文献１に開示された技術では、部屋の壁面上部に互いに隣接するように複数の間接照明装置を設置している。
【先行技術文献】
【特許文献】
【０００４】
【特許文献１】特開２０１１−２１０５９４号公報
【発明の概要】
【発明が解決しようとする課題】
【０００５】
しかしながら、特許文献１に開示された技術では、隣接する間接照明装置同士の境界部の外観と境界部の周囲の外観との調和をとって空間の雰囲気を効果的に演出することについて、何ら有効な提案がなされていないのが実情であった。
【０００６】
本開示は、以上の点を考慮してなされたものであり、空間の雰囲気を効果的に演出することができる照明装置および照明システムを提供することを目的とする。
【課題を解決するための手段】
【０００７】
本開示による照明装置は、
発光面と、前記発光面の外縁側に位置する第１側面および第１側面に接続する第２側面と、を有する面光源装置と、
前記面光源装置を保持し、前記第１側面および前記第２側面のうちの前記第１側面のみ、又は、前記第１側面および前記第２側面のうちの前記第２側面の一部分及び前記第１側面のみを覆う保持部と、
前記発光面の少なくとも一部を覆う第１の化粧シートと、
前記第２側面の少なくとも一部を覆う第２の化粧シートと、を備える。
【０００８】
本開示による照明装置において、
前記第２側面は、水平方向に対向する一対の面を有し、
前記第１側面は、水平方向と非平行な方向に対向する一対の面を有していてもよい。
【０００９】
本開示による照明装置において、
前記第２の化粧シートと前記第２の化粧シートで覆われた前記第２側面との間に、前記第２側面から前記第２の化粧シートに向かう光の透過を抑制する少なくとも１つの光学層が設けられていてもよい。
【００１０】
本開示による照明装置において、
前記第２の化粧シートと前記第２の化粧シートに覆われた前記第２側面との間に、前記第２側面から前記第２の化粧シートに向かう光を反射する反射層が設けられていてもよい。
【００１１】
本開示による照明装置において、
前記第２の化粧シートと前記第２の化粧シートで覆われた前記第２側面との間に、前記第２側面から前記第２の化粧シートに向かう光を遮光する遮光層が設けられていてもよい。
【００１２】
本開示による照明装置において、
前記第２の化粧シートと前記第２の化粧シートで覆われた前記第２側面との間に、前記第２側面から前記第２の化粧シートに向かう光を減光する減光層が設けられていてもよい。
【００１３】
本開示による照明装置において、
前記発光面は、一軸方向に沿って出射光量が漸次変化し、
前記減光層は、前記一軸方向に沿って透過率が漸次変化していてもよい。
【００１４】
本開示による照明装置において、
前記第２の化粧シートと前記反射層との間に、前記第２側面から前記第２の化粧シートに向かう光を遮光する遮光層または前記第２側面から前記第２の化粧シートに向かう光を減光する減光層が設けられていてもよい。
【００１５】
本開示による照明装置において、
前記第２の化粧シートと前記減光層との間に、前記第２側面から前記第２の化粧シートに向かう光を拡散する拡散層が設けられていてもよい。
【００１６】
本開示による照明装置において、
前記反射層は、第３の化粧シートであってもよい。
【００１７】
本開示による照明装置において、
前記第２の化粧シートは、前記第１の化粧シートと一体的に設けられていてもよい。
【００１８】
本開示による照明装置において、
前記面光源装置は、
前記第２側面を少なくとも部分的に構成する導光板と、
前記保持部と前記第１側面との間に位置する光源と、を有していてもよい。
【００１９】
本開示による照明システムは、
少なくとも１つの照明装置を備え、
前記照明装置は、
発光面と、前記発光面の外縁側に位置する第１側面および第２側面と、を有する面光源装置と、
前記面光源装置を保持し、前記第１側面および前記第２側面のうちの前記第１側面のみ、又は、前記第１側面および前記第２側面のうちの前記第２側面の一部分及び前記第１側面のみを覆う保持部と、
前記発光面の少なくとも一部を覆う第１の化粧シートと、
前記第２側面の少なくとも一部を覆う第２の化粧シートと、を備える。
【００２０】
本開示による照明システムにおいて、
前記照明装置を複数備え、
前記複数の照明装置は、一軸方向に直交する直交方向に沿って並んでいてもよい。
【００２１】
本開示による照明システムにおいて、
前記複数の照明装置は、前記直交方向に間隙部を空けて並んでいてもよい。
【００２２】
本開示による照明システムにおいて、
前記一軸方向に沿って前記間隙部に位置する第４の化粧シートを更に備えてもよい。
【００２３】
本開示による照明システムにおいて、
前記複数の照明装置のそれぞれの面光源装置に対して前記一軸方向に位置する複数のボードと、
前記複数の照明装置のそれぞれの第１の化粧シートに対して前記一軸方向に位置し、前記複数のボードのそれぞれを覆う複数の第５の化粧シートと、を更に備えてもよい。
【００２４】
本開示による照明システムにおいて、
前記複数のボードおよび第５の化粧シートは、前記一軸方向において前記間隙部に連続する第２の間隙部を空けて前記直交方向に沿って並んでいてもよい。
【００２５】
本開示による照明システムにおいて、
前記第４の化粧シートは、前記第２の間隙部にも位置してもよい。
【００２６】
本開示による照明装置は、
発光面と、前記発光面の外縁側に位置する、第１側面および前記第１側面と隣り合う第２側面と、を有する面光源装置と、
前記第１側面の少なくとも一部の領域に対面し、かつ、前記第２側面の少なくとも一部の領域に対面しないように構成された保持部であって、前記面光源装置を保持する前記保持部と、
前記発光面の少なくとも一部に対面する第１の化粧シートと、
前記第２側面の少なくとも一部に対面する第２の化粧シートと、を備える。
【発明の効果】
【００２７】
本開示によれば、空間の雰囲気を効果的に演出することができる。
【図面の簡単な説明】
【００２８】
【図１】図１は、本実施形態による照明システムを示す斜視図である。
【図２】図２は、本実施形態による照明システムに含まれる照明装置の一例を示す斜視図である。
【図３】図３は、本実施形態による照明システムに含まれる照明装置の一例を示す正面図である。
【図４Ａ】図４Ａは、本実施形態による照明システムに含まれる照明装置の一例を示す横断面図である。
【図４Ｂ】図４Ｂは、図４Ａと異なる照明装置の一例を示す横断面図である。
【図５】図５は、本実施形態による照明システムに含まれる照明装置の一例を示す縦断面図である。
【図６】図６は、本実施形態による照明システムに含まれる面光源装置の一例を示す縦断面図である。
【図７】図７は、本実施形態の第１の変形例による照明システムを示す斜視図である。
【図８】図８は、本実施形態の第１の変形例による照明システムに含まれる照明装置の一例を示す縦断面図である。
【図９】図９は、本実施形態の第２の変形例による照明システムに含まれる照明装置の一例を示す横断面図である。
【図１０】図１０は、本実施形態の第２の変形例による照明システムに含まれる照明装置の他の一例を示す横断面図である。
【図１１】図１１は、本実施形態の第３の変形例による照明システムに含まれる照明装置の一例を示す横断面図である。
【図１２】図１２は、本実施形態の第４の変形例による照明システムに含まれる照明装置の一例を示す横断面図である。
【図１３】図１３は、本実施形態の第５の変形例による照明システムに含まれる照明装置の一例を示す分解斜視図である。
【図１４】図１４は、本実施形態の第５の変形例による照明システムに含まれる照明装置の一例を示す横断面図である。
【図１５】図１５は、本実施形態の第６の変形例による照明システムに含まれる照明装置の一例を示す横断面図である。
【図１６】図１６は、本実施形態の第７の変形例による照明システムを示す斜視図である。
【図１７】図１７は、本実施形態の第７の変形例による照明システムに含まれる照明装置の一例を示す縦断面図である。
【図１８】図１８は、本実施形態の第８の変形例による照明システムに含まれる照明装置の一例を示す縦断面図である。
【図１９】図１９は、本実施形態の第９の変形例による照明システムに含まれる照明装置の一例を示す縦断面図である。
【図２０】図２０は、本実施形態の第１０の変形例による照明システムに含まれる照明装置の一例を示す縦断面図である。
【図２１】間仕切りへの照明システムの適用例を示す図である。
【図２２】図２１と異なる間仕切りへの照明システムの適用例を示す図である。
【発明を実施するための形態】
【００２９】
以下、図面を参照して本実施形態による照明システムおよび照明装置について説明する。なお、本件明細書に添付する図面においては、図示と理解のしやすさの便宜上、適宜縮尺および縦横の寸法比等を、実物のそれらから変更し誇張してある。
【００３０】
また、本明細書において用いる、形状や幾何学的条件並びにそれらの程度を特定する、例えば、「平行」、「直交」、「同一」等の用語については、厳密な意味に縛られることなく、同様の機能を期待し得る程度の範囲を含めて解釈することとする。
【００３１】
また、本明細書において、「シート」、「フィルム」、「板」の用語は、呼称の違いのみに基づいて、互いから区別されるものではない。例えば、「板」はシートやフィルムと呼ばれ得るような部材も含む概念である。したがって、「導光板」とは、「導光シート」や「導光フィルム」と呼称の相違のみにおいて区別されない。
【００３２】
また、本明細書において、「上」、「下」、「左」、「右」、「鉛直」、「水平」等の方向を表す用語は、照明システムの部品または部分同士の相対的な位置関係や照明システムで実現される光の進行方向または光量分布といった照明システムの構成を説明するために用いる表現の一例に過ぎず、本開示と同等の照明システムの構成の説明が他の表現を用いてなされる場合でも、本開示の範囲内である。
【００３３】
また、本実施形態およびその変形例で参照する図面において、同一部分または同様な機能を有する部分には同一の符号または類似の符号を付し、その繰り返しの説明は省略する。
【００３４】
（照明システム１）
図１〜図２０は、本実施形態の複数の例を示す図である。このうち、図１は、本実施形態による照明システム１を示す斜視図である。また、図２は、本実施形態による照明システム１に含まれる照明装置２０の一例を示す斜視図である。図３は、本実施形態による照明システム１に含まれる照明装置２０の一例を示す正面図である。図４Ａは、本実施形態による照明システム１に含まれる照明装置２０の一例を示す横断面図すなわち図２のＩＶ−ＩＶ断面図である。図４Ｂは、図４Ａと異なる照明装置２０の一例を示す横断面図である。図５は、本実施形態による照明システム１に含まれる照明装置２０の一例を示す縦断面図である。図６は、本実施形態による照明システム１に含まれる面光源装置２１の一例を示す縦断面図である。
【００３５】
本実施形態による照明システム１は、空間に光を射出することで空間を演出するシステムである。言い換えれば、照明システム１は、空間に光を射出することで空間の利用者に望ましい心理状態を生じさせるように空間の雰囲気を形成するためのシステムである。
【００３６】
具体的には、本実施形態による照明システム１は、壁Ｗ、天井ＣＥおよび床Ｆといった構造体で区画された部屋内の空間Ｓを照明および演出するために用いることができる。照明システムは、空間演出システムと呼ぶこともでき、また、構造体、建材、あるいは内装材と呼ぶこともできる。なお、天井ＣＥには、空間Ｓに照明光を照射するベース照明装置３が設けられている。照明システム１が適用される部屋は、例えば、建物の部屋である。照明システム１は、船室や車室などの建物以外の部屋に適用されてもよい。また、照明システム１は、部屋以外の構造体に適用されてもよい。
【００３７】
図１の例において、照明システム１は、壁Ｗに沿って配置された複数の照明装置２０と、第４の化粧シートの一例である縦目地化粧シート６２とを備える。複数の照明装置２０は、一軸方向に直交する直交方向の一例である水平方向ｄ２に沿って、間隙部の一例である縦目地ｊｄ２を空けて並べて配置されている。縦目地化粧シート６２は、縦目地ｊｄ２を覆うように縦目地ｊｄ２に設けられている。なお、図１においては、正面の壁Ｗに２枚の照明装置２０が並べて配置されているが、実際は３枚以上の照明装置２０が並べて配置されていてよい。
【００３８】
照明装置２０は、面光源装置２１と、面光源装置２１上に配置された面光源化粧シート６１と、面光源装置２１を保持する保持部の一例である図５に示される上フレーム７１および下フレーム７２とを備える。照明装置２０は、建材パネルということもできる。照明装置２０は、壁Ｗに重ねられた状態で部屋の内壁材として機能してもよい。また、照明装置２０の構成要素の全部または一部が、照明装置２０を作製するための組立キットとして取り扱われ、流通や販売されるようにしてもよい。
【００３９】
図１に示すように、面光源装置２１は、空間Ｓの利用者に直接視認されないように面光源化粧シート６１によって空間Ｓから隠蔽されている。面光源化粧シート６１によって隠蔽された面光源装置２１から面光源化粧シート６１を通して空間Ｓに光を射出することで、面光源装置２１の存在感を薄めながら射出される光が、面光源化粧シート６１の色彩、模様、質感等とあいまって、空間Ｓの雰囲気を効果的に演出することができる。
【００４０】
（面光源装置２１、上フレーム７１、下フレーム７２）
以下、面光源装置２１および上フレーム７１、下フレーム７２について詳しく説明する。図５および図６に示すように、面光源装置２１は、面状光を射出する発光面２１ａを有している。面光源装置２１は、その発光面２１ａが面光源化粧シート６１に対面するように、位置決めされている。より詳しくは、発光面２１ａは、面光源化粧シート６１のうちの後述する発光面化粧シート部６１ａに対面している。図５および図６の例において、発光面２１ａは、その上端が天井ＣＥの近傍に至り、その下端が床Ｆの近傍に至るように、鉛直方向ｄ１の広範囲にわたって形成されている。図５に示すような配置に限らず、面光源装置２１が壁Ｗの鉛直方向ｄ１の一部に形成されるような配置を採用してもよい。
【００４１】
図５および図６に示される面光源装置２１は、エッジライト型の面光源装置２１である。この面光源装置２１は、光源の一例である発光体２１０と、導光板２１１と、光拡散シート２１２と、反射シート２１３と、を有している。後述するように、光拡散シート２１２は、面光源装置２１の発光面２１ａを形成している。なお、面光源装置２１は、例えば、直下型ＬＥＤを用いた面光源装置、ＥＬ（Electro Luminescence）シートを用いた面光源装置等とエッジライト方式の面光源装置との組合せにより構成されてもよい。
【００４２】
発光体２１０は、光を発光する。発光体２１０の具体的な態様は特に限定されることなく、光を発光する種々の部材を広く用いることができる。具体的には、例えば、冷陰極管、点状のフルカラー発光ダイオード（ＬＥＤ）、白熱電球、レーザー発振装置等を、発光体２１０として用いることができる。図３および図５示された例において、発光体２１０は、上フレーム７１によって保持されている。発光体２１０は、上フレーム７１の長手方向である図３に示される水平方向ｄ２に沿って、間隔をあけて複数配列されている。上フレーム７１が取り外し可能な場合、上フレーム７１とともに複数の発光体２１０を面光源装置２１から取り外し、複数の発光体２１０の一部又は全部の交換作業を行うことができる。上フレーム７１は、発光体２１０を保持し、後述する導光板２１１の上側面２１ｄを覆うように面光源装置２１を保持する部材である。上フレーム７１は、上側面２１ｄのみを覆っていてもよく、または、上側面２１ｄとともに後述する導光板２１１の左側面２１ｂまたは右側面２１ｃの一部分を覆っていてもよい。下フレーム７２は、後述する導光板２１１の下側面２１ｅを覆うように面光源装置２１を保持する部材である。下フレーム７２は、下側面２１ｅのみを覆っていてもよく、または、下側面２１ｅとともに左側面２１ｂまたは右側面２１ｃの一部分を覆っていてもよい。なお、照明装置２０は、上フレーム７１のみを備え、下フレーム７２を備えていなくてもよい。
【００４３】
図６に示すように、導光板２１１は、一対の主面２１１ａ，２１１ｂと、一対の主面２１１ａ，２１１ｂ間に位置する側面と、を有した板状の部材である。一方の主面が出光面２１１ａをなし、他方の主面が裏面２１１ｂをなしている。主面２１１ａ，２１１ｂは、典型的には、平面視矩形形状となる。主面２１１ａ，２１１ｂは、一軸方向の一例である鉛直方向ｄ１に沿って延びる一対の側縁と、鉛直方向ｄ１に直交する水平方向ｄ２に沿って延びる一対の側縁と、を有している。
【００４４】
図４Ａ〜図６に示すように、導光板２１１は、発光面２１ａの外縁側に位置する面光源装置２１の第１側面の一例であり、水平方向ｄ２と非平行な方向ｄ１に対向する一対の面の一例でもある上側面２１ｄおよび下側面２１ｅを有する。また、導光板２１１は、発光面２１ａの外縁側に位置する面光源装置２１の第２側面の一例であり、水平方向ｄ２に対向する一対の面の一例でもある左側面２１ｂおよび右側面２１ｃを有する。すなわち、導光板２１１は、面光源装置２１の第２側面を構成している。
【００４５】
上側面２１ｄは、導光板２１１の鉛直方向ｄ１における上方ｄ１１の端部に位置し、上フレーム７１によって覆われる側面である。下側面２１ｅは、導光板２１１の鉛直方向ｄ１における下方ｄ１２の端部に位置し、下フレーム７２によって覆われる側面である。左側面２１ｂは、導光板２１１の水平方向ｄ２における左方ｄ２１の端部に位置し、後述する左側面化粧シート部６１ｂによって覆われる側面である。右側面２１ｃは、導光板２１１の水平方向ｄ２における右方ｄ２２の端部に位置し、後述する右側面化粧シート部６１ｃによって覆われる側面である。すなわち、上側面２１ｄおよび下側面２１ｅと、左側面２１ｂと右側面２１ｃとは、互いに交差および接続するように配置されている。
【００４６】
上側面２１ｄおよび下側面２１ｅが上フレーム７１、下フレーム７２で覆われているのに対して、左側面２１ｂおよび右側面２１ｃはフレームで覆われていない剥き出しの状態である。つまり、上フレーム７１、下フレーム７２は、上側面２１ｄおよび下側面２１ｅの少なくとも一部の領域に対面し、かつ、左側面２１ｂおよび右側面２１ｃの少なくとも一部の領域に対面しないように構成されている。このような構成によれば、左右の側面２１ｂ、２１ｃにフレームが存在することによって発光面化粧シート部６１ａの左右に額縁のように広範囲の非発光領域が形成されることを防止することができ、さらに複数の発光装置２１を左右の方向（例えば図中の水平方向ｄ２）に沿って並べた場合、隣り合う発光装置の間を継ぎ目として感じにくくなる。また、後述するように、左側面２１ｂおよび右側面２１ｃを意図的に剥き出しにした状態で側面化粧シート部６１ｂ、６１ｃで覆うことで、左右の側面２１ｂ、２１ｃから縦目地ｊｄ２側への光の出射を低減することができる。
【００４７】
発光体２１０は、上フレーム７１と導光板２１１の上側面２１ｄとの間に位置している。これにより、上側面２１ｄは、発光体２１０から射出された光の入光面として機能する。より具体的には、上側面２１ｄは、上フレーム７１に沿うようにして水平方向ｄ２に延びている。そして、上側面２１ｄは、上フレーム７１に保持された発光体２１０に対面している。
【００４８】
図６に示すように、発光体２１０から射出された光は、上側面２１ｄから導光板２１１に入射して導光板２１１内を進む。導光板２１１の主面２１１ｂには、取出要素として機能する凹部２１１ｃが設けられている。凹部２１１ｃは、導光板２１１内を進む光Ｌ１，Ｌ２の進行方向を変化させる。導光板２１１に入射した光Ｌ１，Ｌ２は、反射とりわけ全反射することで導光板２１１内を進む。そして、導光板２１１内を進む光Ｌ１，Ｌ２は、凹部２１１ｃによって進行方向を変化させること、とりわけ散乱することで、導光板２１１の一対の主面２１１ａ，２１１ｂに全反射臨界角度未満の入射角度で入射して導光板２１１から出射する。すなわち、凹部２１１ｃで進行方向を変えられた光Ｌ１，Ｌ２は、一対の主面２１１ａ，２１１ｂのいずれかを介して、導光板２１１から出射する。
【００４９】
図５および図６に示すように、光拡散シート２１２は、導光板２１１の主面２１１ａに対面して設けられている。導光板２１１の主面２１１ａから出射した光Ｌ１，Ｌ２は、光拡散シート２１２に入射する。光拡散シート２１２は、光拡散機能を有しており、透過光に起因した輝度角度分布を整えることができる。光拡散シート２１２は、面光源装置２１の発光面２１ａを形成している。光拡散シート２１２で拡散された光は、発光面２１ａから射出して面光源化粧シート６１に向かう。光拡散シート２１２には、光拡散機能を発揮し得る種々の構成を採用することができる。光拡散シート２１２が有する拡散特性は、等方性であってもよいし、異方性であってもよい。
【００５０】
図５および図６に示すように、反射シート２１３は、導光板２１１の裏面２１１ｂに対面して設けられている。反射シート２１３は、裏面２１１ｂから出射する光を反射して、導光板２１１及び光拡散シート２１２へ向けることができる。反射シート２１３を設けることで、面光源装置２１の発光面２１ａからの出射光量を増大させることができる。これにより、発光体２１０から射出した光の利用効率を向上させることができる。反射シート２１３には、光反射機能を発揮し得る種々の構成を採用することができる。反射シート２１３の反射特性は、正反射であってもよいし、拡散反射であってもよい。反射シート２１３が有する拡散反射特性は、等方性であってもよいし、異方性であってもよい。
【００５１】
（化粧シート６１、６２）
以下、化粧シート６１、６２について詳しく説明する。面光源化粧シート６１は、照明装置２０に設けられ、空間Ｓに露出した化粧面として、照明システム１の発光領域Ｚ１を形成する透光性部材である。面光源化粧シート６１は、例えば、接着剤や粘着剤などを含む接合層を介して面光源装置２１に固定されている。
【００５２】
縦目地化粧シート６２は、水平方向ｄ２において面光源化粧シート６１に隣り合うように縦目地ｊｄ２に設けられた部材である。図４Ａの例において、縦目地化粧シート６２は、空間Ｓに露出した化粧面として、導光板２１１の左右の側面２１ｂ、２１ｃから出射された光Ｌ２で照明された発光領域Ｚ２すなわち反射照明領域を形成する。縦目地化粧シート６２は、例えば、接着剤や粘着剤などを含む接合層を介して縦目地ｊｄ２に固定されている。
【００５３】
面光源化粧シート６１および縦目地化粧シート６２として、紙系の化粧シートや樹脂系の化粧シート等を用いることができる。水平方向ｄ２の外観の調和をとるため、面光源化粧シート６１と縦目地化粧シート６２とは、色彩、模様および質感等の外観が揃っていることが望ましい。
【００５４】
図１〜図３に示すように、面光源化粧シート６１は、第１の化粧シートの一例である発光面化粧シート部６１ａと、第２の化粧シートの一例である左側面化粧シート部６１ｂと、第２の化粧シートの一例である右側面化粧シート部６１ｃと、上側面化粧シート部６１ｄと、下側面化粧シート部６１ｅとを有する。
【００５５】
なお、図示されている例において、各シート部６１ａ〜６１ｅは、例えば、１枚のシートによって形成された一体の構成である。この場合、１枚のシートは、単層構造であってもよく、または、複層構造であってもよい。各シート部６１ａ〜６１ｅを一体の構成とすることで、部品点数およびコストを削減することができ、かつ照明システム１の組立ての容易性を向上させることができる。各シート部６１ａ〜６１ｅは、異なるシートによって形成された別体の構成であってもよい。各シート部６１ａ〜６１ｅを別体の構成とすることで、例えば、発光面化粧シート部６１ａと左右の側面化粧シート部６１ｂ、６１ｃとの間で、色彩や模様等の外観や、可視光透過率などの光学特性を異ならせることが可能となるので、設計の自由度を向上させることができる。
【００５６】
発光面化粧シート部６１ａは、発光面２１ａの少なくとも一部を覆うように発光面２１ａに対面して設けられ、照明システム１の出光側の最外面を形成する面光源化粧シート６１の部分である。発光面化粧シート部６１ａは、発光面２１ａの全部を覆っていてもよく、または、面光源装置２１に意図的に形成された孔などの特定の部分を除いて発光面２１ａを覆っていてもよい。発光面化粧シート部６１ａは、発光面２１ａに接していてもよく、または、発光面２１ａから前方に離間していてもよい。
【００５７】
発光面化粧シート部６１ａは、面光源装置２１によって背面側から光を照射される。発光面化粧シート部６１ａは、可視光透過性を有している。このため、面光源装置２１の発光面２１ａから射出した光が、発光面化粧シート部６１ａすなわち発光領域Ｚ１を透過することができる。このように発光面化粧シート部６１ａは透過照明されることから、発光面化粧シート部６１ａとしては、透過率の比較的高い白色系の壁紙が好適に用いられる。ただし、透過率の比較的低い壁紙、例えば木目調の壁紙でも十分有効に透過照明される。発光面化粧シート部６１ａの柄等は特に限定されるものではない。発光面化粧シート部６１ａにおける可視光線透過率は、１．０％以上であることが好ましく、１０％以上であることがより好ましい。可視光線透過率は、赤外可視紫外分光光度計（（株）島津製作所社製  ＵＶ３１００ＰＣ）を使用し、ＪＩＳ  Ａ５７５９−２００８に従い３８０ｎｍ以上７８０ｎｍ以下の波長域における分光透過率測定し、同規格に規定される算出式により算出したものである。
【００５８】
左側面化粧シート部６１ｂは、発光面化粧シート部６１ａの左端部側に位置し、導光板２１１の左側面２１ｂの少なくとも一部を覆うように設けられた面光源化粧シート６１の構成部である。図２および図４Ａの例において、左側面化粧シート部６１ｂは、発光面化粧シート部６１ａの左端部に連続し、左側面２１ｂの全体を覆っている。左側面化粧シート部６１ｂは、導光板２１１の左側面２１ｂに接していてもよく、または、左側面２１ｂから左方ｄ２１に離間していてもよい。
【００５９】
右側面化粧シート部６１ｃは、発光面化粧シート部６１ａの右端部側に位置し、導光板２１１の右側面２１ｃの少なくとも一部を覆うように設けられた面光源化粧シート６１の構成部である。図２および図４Ａの例において、右側面化粧シート部６１ｃは、発光面化粧シート部６１ａの右端部に連続し、右側面２１ｃの全体を覆っている。右側面化粧シート部６１ｃは、導光板２１１の右側面２１ｃに接していてもよく、または、右側面２１ｃから右方ｄ２２に離間していてもよい。
【００６０】
上側面化粧シート部６１ｄは、発光面化粧シート部６１ａの上端部側の位置し、上フレーム７１の上面を覆うように設けられた面光源化粧シート６１の構成部である。図２および図５の例において、上側面化粧シート部６１ｄは、発光面化粧シート部６１ａの上端部に連続している。上側面化粧シート部６１ｄは、上フレーム７１の上面に接していてもよく、または、上フレーム７１の上面から上方ｄ１１に離間していてもよい。
【００６１】
下側面化粧シート部６１ｅは、発光面化粧シート部６１ａの下端部側に位置し、下フレーム７２の下面を覆うように設けられた面光源化粧シート６１の構成部である。下側面化粧シート部６１ｅは、下フレーム７２の下面に接していてもよく、または、下フレーム７２の下面から下方ｄ１２に離間していてもよい。
【００６２】
これら上下左右の側面化粧シート部６１ｂ〜６１ｅの外観および光学特性は、発光面化粧シート部６１ａと同一である。側面化粧シート部６１ｂ〜６１ｅの外観および光学特性は、発光面化粧シート部６１ａと異なっていてもよい。
【００６３】
ここで、もし、左側面２１ｂおよび右側面２１ｃにフレームが存在する場合、発光面化粧シート部６１ａの左右に、額縁のように目立つ広範囲の非発光領域が形成される。そして、この非発光領域によって照明システム１の水平方向ｄ２の外観すなわち明るさの調和をとることができず、空間Ｓの利用者に違和感を与えるおそれがある。この違和感の防止を意図して、本実施形態では、導光板２１１の左側面２１ｂおよび右側面２１ｃがフレームで覆われていない。また、発光面化粧シート部６１ａの立体感を演出するため、本実施形態では、隣り合う照明装置２０の間に、発光面化粧シート部６１ａよりも窪んだ縦目地ｊｄ２が設けられている。
【００６４】
このような構成において、図３および図４Ａに示すように、発光体２１０から射出された光のうち、左方ｄ２１に広がる一部の光Ｌは、導光板２１１の左側面２１ｂから左方ｄ２１に出射する。また、発光体２１０から射出された光のうち、右方ｄ２２に広がる一部の光Ｌは、導光板２１１の右側面２１ｃから右方ｄ２２に出射する。
【００６５】
導光板２１１の左側面２１ｂはフレームで覆われていないため、もし、左側面化粧シート部６１ｂを設けない場合、左側面２１ｂから照明装置２０の左側の縦目地ｊｄ２すなわち縦目地化粧シート６２に照射される光の光量が多くなり過ぎることで、縦目地ｊｄ２が明るくなり過ぎる。また、導光板２１１の右側面２１ｃもフレームで覆われていないため、もし、右側面化粧シート部６１ｃを設けない場合、右側面２１ｃから照明装置２０の右側の縦目地ｊｄ２すなわち縦目地化粧シート６２に照射される光の光量が多くなり過ぎることで、縦目地ｊｄ２が明るくなり過ぎ、特に、複数の発光装置が水平方向ｄ２に沿って並んでいる場合、縦目地ｊｄ２に左右両側に位置する発光装置から光が出射されるため、明るくなり過ぎる。なお、図３および図４Ａの例においては、照明装置２０の左右の双方に縦目地ｊｄ２および縦目地化粧シート６２が設けられているが、照明装置２０の左右のいずれか一方に縦目地ｊｄ２および縦目地化粧シート６２が設けられていてもよい。
【００６６】
このように、左側面化粧シート部６１ｂおよび右側面化粧シート部６１ｃを設けない場合、照明装置２０の発光領域Ｚ１に対して縦目地ｊｄ２の発光領域Ｚ２が明るくなり過ぎることで、照明システム１の水平方向ｄ２の明るさの調和をとることができなくなってしまう。照明システム１の水平方向ｄ２の明るさの調和をとることができないことで、空間Ｓの利用者に違和感を与えるおそれがある。
【００６７】
これに対して、本実施形態では、左側面化粧シート部６１ｂが設けられていることで、図３に示すように、導光板２１１の左側面２１ｂから出射した光のうちの左側面化粧シート部６１ｂの反射率に応じた一部の光ＬＬを左側面化粧シート部６１ｂで反射させることができる。これにより、左側面２１ｂから出射した光のうちの照明装置２０の左側の縦目地ｊｄ２に照射される光Ｌ２Ｌの光量を低減させることができる。なお、照明装置２０の左側の縦目地ｊｄ２を明るく見せる光の中には、照明装置２０の左側の縦目地化粧シート６２に照射される光だけでなく、この縦目地化粧シート６２に照射されずに左側面２１ｂから前方に向けて出射される光もあり得るが、左側面化粧シート部６１ｂによれば、このような光の光量も低減させることができる。
【００６８】
また、本実施形態では、右側面化粧シート部６１ｃが設けられていることで、図３に示すように、導光板２１１の右側面２１ｃから出射した光のうちの右側面化粧シート部６１ｃの反射率に応じた一部の光ＬＲを右側面化粧シート部６１ｃで反射させることができる。これにより、右側面２１ｃから出射した光のうちの照明装置２０の右側の縦目地ｊｄ２に照射される光Ｌ２Ｒの光量を低減させることができる。なお、照明装置２０の右側の縦目地ｊｄ２を明るく見せる光の中には、照明装置２０の右側の縦目地化粧シート６２に照射される光だけでなく、この縦目地化粧シート６２に照射されずに右側面２１ｃから前方に向けて出射される光もあり得るが、右側面化粧シート部６１ｃによれば、このような光の光量も低減させることができる。
【００６９】
このように、左側面化粧シート部６１ｂおよび右側面化粧シート部６１ｃによって縦目地ｊｄ２に照射される光の光量を低減させることで、照明装置２０の発光領域Ｚ１に対して縦目地ｊｄ２の発光領域Ｚ２が明るくなり過ぎることを防止することができる。これにより、照明システム１の水平方向ｄ２の明るさの調和をとることができるので、空間Ｓの利用者に違和感を与えることを防止することができる。
【００７０】
さらに、本実施形態では、図４Ａに示すように、左側面化粧シート部６１ｂで反射された光のうち、光拡散シート２１２が位置する前方を進行方向の成分に含む一部の光Ｌ１Ｌを、光拡散シート２１２の左縁部に入射させることができる。そして、光拡散シート２１２の左縁部に入射した光Ｌ１Ｌを、光拡散シート２１２で拡散させて発光面化粧シート部６１ａの左縁部から射出させることができる。また、図４Ａに示すように、右側面化粧シート部６１ｃで反射された光のうち、前方を進行方向の成分に含む一部の光Ｌ１Ｒを、光拡散シート２１２の右縁部に入射させることができる。そして、光拡散シート２１２の右縁部に入射した光Ｌ１Ｒを、光拡散シート２１２で拡散させて発光面化粧シート部６１ａの右縁部から射出させることができる。
【００７１】
このように、左右の側面化粧シート部６１ｂ、６１ｃで反射された光Ｌ１Ｌ、Ｌ１Ｒを発光面化粧シート部６１ａの左右の縁部から射出させることで、発光領域Ｚ１の中央部に比較して発光領域Ｚ１の左右の縁部が暗くなることを抑制することができる。この結果、より効果的に照明システム１の水平方向ｄ２の明るさの調和をとることができるので、空間Ｓの利用者に違和感を与えることをより効果的に防止することができる。
【００７２】
さらに、本実施形態では、縦目地ｊｄ２に縦目地化粧シート６２が設けられているので、縦目地化粧シート６２の色彩、模様、質感等を面光源化粧シート６１と揃えることで、発光体２１０の点灯時だけでなく、発光体２１０の消灯時においても、照明システム１の水平方向ｄ２の外観の調和をとることができる。これにより、空間Ｓの利用者に違和感を与えることをより効果的に防止することができる。
【００７３】
（ベース照明装置３）
次に、ベース照明装置３について説明する。図１および図５に示すように、ベース照明装置３は、天井ＣＥに取り付けられ、上方から空間Ｓに照明光Ｌｘを放出する。ベース照明装置３は、天井ＣＥに固定されていてもよいし、天井ＣＥから吊り下げられていてもよい。ベース照明装置３は、人の視覚を通した空間Ｓ内の把握を補助するものである。したがって、ベース照明装置３として、一般的な、室内照明用の器具を用いることができる。ベース照明装置３から射出する照明光Ｌｘは、特に限定されないが、白色系とすることで自然な照明を可能とすることができる。ベース照明装置３は、例えば、照明装置２０よりも高い輝度で照明光を射出してもよい。言い換えると、照明装置２０は、ベース照明装置３よりも低い輝度で照明光を射出してもよい。このような構成によれば、空間Ｓの利用者に違和感を与えることをより効果的に防止することができる。
【００７４】
以下、本実施形態によってもたらされる作用について説明する。
【００７５】
既述したように、照明装置２０は、発光面２１ａを有する面光源装置２１と、発光面２１ａを覆う面光源化粧シート６１と、発光面２１ａの外縁側に位置する面光源装置２１の側面２１ｂ〜２１ｅのうちの上下の側面２１ｄ、２１ｅを保持するフレーム７１、７２とを備える。そして、左右の側面２１ｂ、２１ｃを覆うように、左右の側面化粧シート部６１ｂが設けられている。
【００７６】
このような構成によれば、図３に示すように、導光板２１１の左側面２１ｂから出射した光ＬＬを左側面化粧シート部６１ｂで反射させることで、左側面２１ｂから出射した光ＬＬのうちの照明装置２０の左側の縦目地ｊｄ２に照射される光Ｌ２Ｌの光量を低減させることができる。また、右側面化粧シート部６１ｃが設けられていることで、図３に示すように、導光板２１１の右側面２１ｃから出射した光ＬＲを右側面化粧シート部６１ｃで反射させることで、右側面２１ｃから出射した光ＬＲのうちの照明装置２０の右側の縦目地ｊｄ２に照射される光Ｌ２Ｒの光量を低減させることができる。
【００７７】
これにより、縦目地ｊｄ２が明るくなり過ぎることを防止して、照明システム１の水平方向ｄ２の明るさの調和をとることができるので、空間Ｓの利用者に違和感を与えることを防止することができる。
【００７８】
さらに、図４Ａに示すように、左側面化粧シート部６１ｂで反射された光の一部Ｌ１Ｌを光拡散シート２１２の左縁部に入射させて発光領域Ｚ１の左縁部から出射させることができ、また、右側面化粧シート部６１ｃで反射された光の一部Ｌ１Ｒを光拡散シート２１２の右縁部に入射させて発光領域Ｚ１の右縁部から出射させることができる。
【００７９】
これにより、発光面化粧シート部６１ａの中央部に比較して発光面化粧シート部６１ａの左右の縁部が暗くなることを抑制して、より効果的に照明システム１の水平方向ｄ２の明るさの調和をとることができるので、空間Ｓの利用者に違和感を与えることをより効果的に防止することができる。
【００８０】
すなわち、本実施形態の照明システム１によれば、隣接する照明装置２０同士の境界部である縦目地ｊｄ２の外観と、境界部の周囲である照明装置２０の外観との調和をとって、空間の雰囲気を効果的に演出することができる。
【００８１】
さらには、発光体２１０の点灯時に照明装置２０の左右の側面から発光体２１０の位置を特定し難くすることができるので、光源の位置が分からずに発光領域Ｚ１から光が浮き出ているといった幻想的な雰囲気を演出することができるので、空間Ｓの利用者に心地よい心理状況を生じさせることが可能となる。
【００８２】
また、既述したように、左側面化粧シート部６１ｂおよび右側面化粧シート部６１ｃは、面光源化粧シート６１と一体的に設けられている。
【００８３】
このような構成によれば、部品点数を削減することができ、且つ、照明装置２０の組立ての容易性を向上させることができる。
【００８４】
また、既述したように、面光源装置２１は、互いに交差するように上下の側面２１ｄ、２１ｅと左右の側面２１ｂ、２１ｃとが設けられた導光板２１１と、上フレーム７１と上側面２１ｄとの間に位置する発光体２１０とを有する。
【００８５】
これにより、上フレーム７１に発光体２１０が保持されたエッジライト方式の照明装置２０において、空間の雰囲気を効果的に演出することができる。
【００８６】
なお、図４Ｂに示すように、縦目地化粧シート６２を照明装置２０よりも壁Ｗ側すなわち発光面２１ａと反対の後方側に配置してもよい。図４Ｂの例によれば、例えば、壁Ｗに縦目地化粧シート６２を貼り合わせた後に照明装置２０を設置することができるので、縦目地化粧シート６２の貼り合わせの容易性を向上させることができる。
【００８７】
（第１の変形例）
図７は、本実施形態の第１の変形例による照明システム１を示す斜視図である。図８は、本実施形態の第１の変形例による照明システム１に含まれる照明装置２０の一例を示す縦断面図である。
【００８８】
これまでは、壁Ｗの上端から下端に至る壁Ｗの略全領域にわたって照明装置２０が設けられた照明システム１の例について説明した。これに対して、第１の変形例による照明システム１は、面光源装置２１をより目立ち難くすることを意図して、壁Ｗのうちの上端側の一部の領域に、水平方向ｄ２に沿って複数の照明装置２０を備えている。
【００８９】
また、第１の変形例による照明システム１は、照明装置２０と壁Ｗとの段差を埋めて照明装置２０が設けられている壁Ｗ上の領域とそれ以外の壁Ｗ上の領域との外観の調和をとることを意図して、複数のボード５と、第５の化粧シートの一例である複数のボード化粧シート６４とを備える。
【００９０】
複数のボード５は、複数の照明装置２０のそれぞれの面光源装置２１に対して下方ｄ１２に位置する。複数のボード化粧シート６４は、複数の照明装置２０のそれぞれの面光源化粧シート６１に対して下方ｄ１２に位置し、複数のボード５のそれぞれを覆っている。
【００９１】
複数のボード５およびボード化粧シート６４は、第２の間隙部の一例である縦目地ｊｄ２を空けて、水平方向ｄ２に沿って並んでいる。ボード５の縦目地ｊｄ２は、鉛直方向ｄ１において照明装置２０の縦目地ｊｄ２に連続している。また、縦目地化粧シート６２は、ボード５の縦目地ｊｄ２にも設けられている。すなわち、縦目地化粧シート６２は、照明装置２０の縦目地ｊｄ２の上端からボード５の縦目地ｊｄ２の下端まで延在している。
【００９２】
ボード５は、板状の部材である。ボード５としては、例えば、単板、合板、集成材、パーチクル板、纖維板等の木製板材、コンクリート、モルタル等のセメント系材料、石膏ボード、珪酸カルシウム等からなる無機非金屬板、或いは鉄、アルミニウム等からなる金屬板、樹脂製板材等を用いることができる。ボード５は、耐燃性や耐火性を有していることが好ましい。
【００９３】
ボード化粧シート６４は、ボード５に設けられ、空間Ｓに露出した化粧面として、非発光領域Ｚ３を形成する部材である。ボード化粧シート６４は、ボード５の表面５ａとボード５の上下および左右の側面５ｂとを覆っている。すなわち、図８に示される例において、ボード化粧シート６４の形状は、図２に示した面光源化粧シート６１の形状と同様である。
【００９４】
ボード化粧シート６４は、発光体２１０の消灯時において、発光領域Ｚ１と非発光領域Ｚ３との外観の調和すなわち鉛直方向ｄ１における照明システム１の外観の調和をとることを意図して設けられている。このため、ボード化粧シート６４は、面光源化粧シート６１との間で、色彩、模様および質感等の外観が揃っていることが望ましい。
【００９５】
また、ボード化粧シート６４による非発光領域Ｚ３は、面光源化粧シート６１による発光領域Ｚ１に対して同一平面上に位置していてもよい。これにより、非発光領域Ｚ３と発光領域Ｚ１との間に段差が形成されにくくなり、段差が視認されることに起因した意匠性の低下を効果的に抑制することができる。
【００９６】
また、発光面２１ａの或る位置からの出射光量は、当該位置よりも鉛直方向ｄ１における上方ｄ１１に位置する発光面２１ａの他の或る位置からの出射光量よりも少なくてもよい。この場合、発光面２１ａの出射光量は、下方ｄ１２に向かうにしたがって連続的に減少してもよい。このような出射光量の分布は、例えば、図６で説明した取出要素として機能する凹部２１１ｃの鉛直方向ｄ１における分布を制御して、凹部２１１ｃに起因した光散乱能の程度を鉛直方向ｄ１に沿って調節することで実現され得る。また、エッジライト型の面光源装置２１においては、入光面である導光板２１１の上側面２１ｄから下側面２１ｅに向けて出光面２１１ａからの出射光量がしだいに減少する傾向にある。したがって、このようなエッジライト型の面光源装置２１においては、凹部２１１ｃに起因した光散乱能が鉛直方向ｄ１に沿って一様であったとしても、発光面２１ａの或る位置からの出射光量を上方ｄ１１に位置する他の位置からの出射光量よりも少なくすることができる。このようにすることで、空間Ｓの雰囲気を効果的に高めることが可能となる。とりわけ、発光面２１ａの鉛直方向ｄ１における下方ｄ１２の縁部での発光量を低減することで、発光領域Ｚ１と発光領域Ｚ１の外側の非発光領域Ｚ３との間における光の継ぎ目を目立たなくすることができる。これにより、空間Ｓの雰囲気をより効果的に演出することが可能となる。
【００９７】
また、面光源化粧シート６１の発光領域Ｚ１からの出射光量を鉛直方向ｄ１に沿って変化させることで、面光源装置２１を目立たなくさせることができる。したがって、鉛直方向ｄ１に沿って、発光面２１ａからの出射光量及び面光源化粧シート６１の透過率の少なくとも一方を変化させてもよい。例えば、或る位置での面光源化粧シート６１の可視光線透過率を、当該位置よりも下方ｄ１２に位置する他の或る位置での面光源化粧シート６１の可視光線透過率よりも低くすることで、下方ｄ１２に位置するボード５の非発光領域Ｚ３に近接する位置で面光源化粧シート６１からの出射光量を低下させることができる。この照明装置２０によれば、発光領域Ｚ１内の明るさを、非発光領域Ｚ３に近接する領域において非発光領域Ｚ３から離間する領域よりも暗くすることができる。この結果、面光源装置２１の存在感を効果的に薄めることができる。
【００９８】
さらに、任意に選択される位置での面光源化粧シート６１の可視光線透過率を、当該位置よりも上方ｄ１１に位置する他の位置での面光源化粧シート６１の可視光線透過率以下とすることで、下方ｄ１２に位置するボード５の非発光領域Ｚ３に近接するにしたがい面光源化粧シート６１からの出射光量を低下させることが可能となる。この照明装置２０によれば、発光領域Ｚ１内の明るさを、非発光領域Ｚ３に接近するにつれてしだいに暗くすることができる。これにより、発光領域Ｚ１と非発光領域Ｚ３との境界を効果的に目立たなくさせることができ、面光源装置２１の存在感をより効果的に薄めることができる。
【００９９】
以上説明したように、第１の変形例によれば、面光源装置２１をより目立ち難くすることができ、また、ボード５およびボード化粧シート６４によって照明装置２０との外観の調和をとることができるので、空間Ｓの雰囲気をより効果的に演出することができる。また、第１の変形例によれば、照明装置２０による発光領域Ｚ１とボード５による非発光領域Ｚ３との間における光の継ぎ目を目立たなくすることができるので、空間Ｓの雰囲気をさらに効果的に演出することができる。
【０１００】
（第２の変形例）
図９は、本実施形態の第２の変形例による照明システム１に含まれる照明装置２０の一例を示す横断面図である。
【０１０１】
これまでは、導光板２１１の左右の側面２１ｂ、２１ｃと左右の側面化粧シート部６１ｂ、６１ｃとの間に光学層が存在しない照明システム１の例について説明した。
【０１０２】
これに対して、第２の変形例による照明システム１は、図９に示すように、左側面化粧シート部６１ｂと左側面２１ｂとの間に、左側面２１ｂから左側面化粧シート部６１ｂに向かう光の透過を抑制する光学層として、反射層の一例である左側面反射シート２２１を備える。また、第２の変形例による照明システム１は、図９に示すように、右側面化粧シート部６１ｃと右側面２１ｃとの間に、右側面２１ｃから右側面化粧シート部６１ｃに向かう光の透過を抑制する光学層として、反射層の一例である右側面反射シート２２２を備える。
【０１０３】
左側面反射シート２２１は、導光板２１１の左側面２１ｂから左側面化粧シート部６１ｂに向かう光を反射する層である。左側面反射シート２２１は、導光板２１１の左側面２１ｂおよび左側面化粧シート部６１ｂの少なくとも一方に接した状態で水平方向ｄ２において左側面２１ｂおよび左側面化粧シート部６１ｂに重なっていてもよい。または、左側面反射シート２２１は、導光板２１１の左側面２１ｂおよび左側面化粧シート部６１ｂの少なくとも一方から離間した状態で水平方向ｄ２において左側面２１ｂおよび左側面化粧シート部６１ｂに重なっていてもよい。
【０１０４】
右側面反射シート２２２は、導光板２１１の右側面２１ｃから右側面化粧シート部６１ｃに向かう光を反射する層である。右側面反射シート２２２は、導光板２１１の右側面２１ｃおよび右側面化粧シート部６１ｃの少なくとも一方に接した状態で水平方向ｄ２において右側面２１ｃおよび右側面化粧シート部６１ｃに重なっていてもよい。または、右側面反射シート２２２は、導光板２１１の右側面２１ｃおよび右側面化粧シート部６１ｃの少なくとも一方から離間した状態で水平方向ｄ２において右側面２１ｃおよび右側面化粧シート部６１ｃに重なっていてもよい。
【０１０５】
左右の側面反射シート２２１、２２２は、例えば、左右の側面化粧シート部６１ｂ、６１ｃの反射率以上の反射率を有する材料によって構成されている。例えば、左右の側面反射シート２２１、２２２の材料として酸化チタンを用いることで、側面反射シート２２１、２２２の反射率を左右の側面化粧シート部６１ｂ、６１ｃの反射率より高くすることができる。また、左右の側面反射シート２２１、２２２を、第３の化粧シートの一例である左右の側面化粧シート部６１ｂ、６１ｃと同一の化粧シートで構成することで、側面反射シート２２１、２２２の反射率を左右の側面化粧シート部６１ｂ、６１ｃの反射率と同一にすることができる。
【０１０６】
なお、左右の側面反射シート２２１、２２２を化粧シートで構成する場合、図１０に示すように、左右の側面反射シート２２１、２２２は、面光源化粧シート６１の構成部として発光面化粧シート部６１ａに連続していてもよい。図１０の例では、面光源化粧シート６１の左右に、短冊状の側面化粧シート部６１ｂ、６１ｃが設けられている。
【０１０７】
また、左右の側面反射シート２２１、２２２は、導光板２１１と別体の構成であってもよく、または、左右の側面２１ｂ、２１ｃに導光板２１１と一体的に形成されていてもよい。あるいは、左右の側面反射シート２２１、２２２は、導光板２１１の背面の反射シート２１３と一体の構成であってもよい。
【０１０８】
図９の例において、発光体２１０から射出された光のうち、左方ｄ２１に広がる一部の光は、導光板２１１の左側面２１ｂから左方ｄ２１に出射された後に、左側面反射シート２２１に入射する。左側面反射シート２２１に入射した光のうち、左側面反射シート２２１の反射率に応じた一部の光Ｌ３Ｌは、左側面反射シート２２１で反射され、その他の一部の光は、左側面反射シート２２１で吸収されるか、または、左側面反射シート２２１を透過する。左側面反射シート２２１を透過した光の一部Ｌ１Ｌは、左側面化粧シート部６１ｂで反射されてもよい。また、発光体２１０から射出された光のうち、右方ｄ２２に広がる一部の光は、導光板２１１の右側面２１ｃから右方ｄ２２に出射された後に、右側面反射シート２２２に入射する。右側面反射シート２２２に入射した光のうち、右側面反射シート２２２の反射率に応じた一部の光Ｌ３Ｒは、右側面反射シート２２２で反射され、その他の一部の光は、右側面反射シート２２２で吸収されるか、または、右側面反射シート２２２を透過する。右側面反射シート２２２を透過した光の一部Ｌ１Ｒは、右側面化粧シート部６１ｃで反射されてもよい。
【０１０９】
このように、左側面反射シート２２１で光を反射させることで、左側面化粧シート部６１ｂのみを設ける場合と比較して、照明装置２０の左側の縦目地ｊｄ２に照射される光Ｌ２Ｌの光量をより効果的に低減させることができる。また、右側面反射シート２２２で光を反射させることで、右側面化粧シート部６１ｃのみを設ける場合と比較して、照明装置２０の右側の縦目地ｊｄ２に照射される光Ｌ２Ｒの光量をより効果的に低減させることができる。
【０１１０】
したがって、図９の例によれば、左側面反射シート２２１および右側面反射シート２２２によって縦目地ｊｄ２に照射される光の光量をより効果的に低減させることで、照明装置２０の発光領域Ｚ１に対して縦目地ｊｄ２の発光領域Ｚ２が明るくなり過ぎることをより効果的に防止することができる。これにより、より効果的に照明システム１の水平方向ｄ２の明るさの調和をとることができるので、空間Ｓの利用者に違和感を与えることをより効果的に防止することができる。
【０１１１】
さらに、図９の例においては、左側面反射シート２２１で反射された光のうち、前方を進行方向の成分に含む一部の光Ｌ３Ｌを、光拡散シート２１２の左縁部に入射させて、発光領域Ｚ１の左縁部から射出させることができる。なお、光拡散シート２１２の左縁部には、左側面化粧シート部６１ｂからの反射光Ｌ１Ｌも入射してよい。また、図９の例においては、右側面反射シート２２２で反射された光のうち、前方を進行方向の成分に含む一部の光Ｌ３Ｒを、光拡散シート２１２の右縁部に入射させて、発光領域Ｚ１の右縁部から射出させることができる。なお、光拡散シート２１２の右縁部には、右側面化粧シート部６１ｃからの反射光Ｌ１Ｒも入射してよい。
【０１１２】
したがって、図９の例によれば、左右の側面反射シート２２１、２２２によって高い反射率で反射された光Ｌ３Ｌ、Ｌ３Ｒを光拡散シート２１２の左右の縁部に入射させて発光領域Ｚ１の左右の縁部から射出させることで、左右の側面化粧シート部６１ｂ、６１ｃのみを設ける場合と比べて、発光領域Ｚ１の中央部に対して発光領域Ｚ１の左右の縁部が暗くなることをより効果的に抑制することができる。この結果、より効果的に照明システム１の水平方向ｄ２の明るさの調和をとることができるので、空間Ｓの利用者に違和感を与えることをより効果的に防止することができる。
【０１１３】
以上述べたように、第２の変形例によれば、より効果的に照明システム１の水平方向ｄ２の明るさの調和をとることで、空間Ｓの利用者に違和感を与えることをより効果的に防止することができる。これにより、空間Ｓの雰囲気をより効果的に演出することができる。
【０１１４】
（第３の変形例）
図１１は、本実施形態の第３の変形例による照明システム１に含まれる照明装置２０の一例を示す横断面図である。
【０１１５】
これまでは、主として水平方向ｄ２の外観を調和させる照明システム１の例について説明した。
【０１１６】
これに対して、第３の変形例による照明システム１は、第１の変形例で説明したボード５を備えた構成において、鉛直方向ｄ１の外観を調和させるために好適な構成を有する。
【０１１７】
具体的には、図１１に示すように、第３の変形例による照明システム１は、第１、第２の変形例の構成に加えて、更に、左側面化粧シート部６１ｂと左側面反射シート２２１との間に、左側面２１ｂから左側面化粧シート部６１ｂに向かう光の透過を抑制する光学層として、遮光層の一例である左側面遮光シート２３１を備える。また、第３の変形例による照明システム１は、更に、右側面化粧シート部６１ｃと右側面反射シート２２２との間に、右側面２１ｃから右側面化粧シート部６１ｃに向かう光の透過を抑制する光学層として、遮光層の一例である右側面遮光シート２３２を備える。
【０１１８】
左側面遮光シート２３１は、導光板２１１の左側面２１ｂから左側面化粧シート部６１ｂに向かう光を遮る層である。より詳しくは、左側面遮光シート２３１は、導光板２１１の左側面２１ｂから左側面化粧シート部６１ｂに向かう光を均一な光吸収率で一様に遮光する層である。左側面遮光シート２３１は、左側面反射シート２２１および左側面化粧シート部６１ｂの少なくとも一方に接した状態で水平方向ｄ２において左側面反射シート２２１および左側面化粧シート部６１ｂに重なっていてもよい。または、左側面遮光シート２３１は、左側面反射シート２２１および左側面化粧シート部６１ｂの少なくとも一方から離間した状態で、水平方向ｄ２において左側面反射シート２２１および左側面化粧シート部６１ｂに重なっていてもよい。
【０１１９】
右側面遮光シート２３２は、導光板２１１の右側面２１ｃから右側面化粧シート部６１ｃに向かう光を遮る層である。より詳しくは、右側面遮光シート２３２は、導光板２１１の右側面２１ｃから右側面化粧シート部６１ｃに向かう光を均一な光吸収率で一様に遮光する層である。右側面遮光シート２３２は、右側面反射シート２２２および右側面化粧シート部６１ｃの少なくとも一方に接した状態で水平方向ｄ２において右側面反射シート２２２および右側面化粧シート部６１ｃに重なっていてもよい。または、右側面遮光シート２３２は、右側面反射シート２２２および右側面化粧シート部６１ｃの少なくとも一方から離間した状態で水平方向ｄ２において右側面反射シート２２２および右側面化粧シート部６１ｃに重なっていてもよい。
【０１２０】
左右の側面遮光シート２３１、２３２は、面光源化粧シート６１および側面反射シート２２１、２２２よりも光吸収率が高い材料によって構成されている。例えば、左右の側面遮光シート２３１、２３２は、ＯＨＰシート等の透明シートと、印刷等によって透明シートの表面上に全面的に配置された黒色インク等の光吸収層とを有していてもよい。
【０１２１】
図１１の例において、発光体２１０から射出された光のうち、左方ｄ２１に広がる一部の光は、導光板２１１の左側面２１ｂから左方ｄ２１に出射された後に、左側面反射シート２２１に入射する。左側面反射シート２２１に入射した光のうち、左側面反射シート２２１の反射率に応じた一部の光Ｌ３Ｌは、左側面反射シート２２１で反射され、その他の一部の光は、左側面反射シート２２１で吸収されるか、または、左側面反射シート２２１を透過する。左側面反射シート２２１を透過した光は、左側面遮光シート２３１に入射する。左側面遮光シート２３１に入射した光のうち、左側面遮光シート２３１の光吸収率に応じた大部分の光Ｌ４Ｌは、左側面遮光シート２３１で吸収すなわち遮光される。左側面遮光シート２３１を透過した後に左側面化粧シート部６１ｂで反射される光Ｌ１Ｌが存在してもよい。また、発光体２１０から射出された光のうち、右方ｄ２２に広がる一部の光は、導光板２１１の右側面２１ｃから右方ｄ２２に出射された後に、右側面反射シート２２２に入射する。右側面反射シート２２２に入射した光のうち、右側面反射シート２２２の反射率に応じた一部の光Ｌ３Ｒは、右側面反射シート２２２で反射され、その他の一部の光は、右側面反射シート２２２で吸収されるか、または、右側面反射シート２２２を透過する。右側面反射シート２２２を透過した光は、右側面遮光シート２３２に入射する。右側面遮光シート２３２に入射した光のうち、右側面遮光シート２３２の光吸収率に応じた大部分の光Ｌ４Ｒは、右側面遮光シート２３２で吸収される。右側面遮光シート２３２を透過した後に右側面化粧シート部６１ｃで反射される光Ｌ１Ｒが存在してもよい。
【０１２２】
このように、左側面遮光シート２３１で光を遮光することにより、照明装置２０の左側の縦目地ｊｄ２に光が照射されることを防止することができる。また、右側面遮光シート２３２で光を遮光することにより、照明装置２０の右側の縦目地ｊｄ２に光が照射されることを防止することができる。
【０１２３】
縦目地ｊｄ２に光が照射されることを防止することによって、縦目地化粧シート６２の表面を非発光領域Ｚ４として機能させることができる。
【０１２４】
ここで、図７に示したボード５の縦目地ｊｄ２に設けられた縦目地化粧シート６２の表面は、ボード５が発光しないため、非発光領域として機能する。
【０１２５】
このような図７の構成に加えて、さらに、図１１の例では、照明装置２０の縦目地ｊｄ２に設けられた縦目地化粧シート６２の表面も、非発光領域Ｚ４として機能する。
【０１２６】
すなわち、図１１の例によれば、上端から下端に至る縦目地化粧シート６２の全範囲の表面を、非発光領域として機能させることができる。
【０１２７】
したがって、第３の変形例によれば、縦目地化粧シート６２の全範囲を暗くすることで、鉛直方向ｄ１における照明システム１の外観を調和させることができる。すなわち、第３の変形例によれば、照明装置２０の境界部である照明装置２０の縦目地ｊｄ２と、照明装置２０の境界部の周囲であるボード５の縦目地ｊｄ２との外観の調和をとることで、空間の雰囲気を効果的に演出することができる。
【０１２８】
（第４の変形例）
図１２は、本実施形態の第４の変形例による照明システム１に含まれる照明装置２０の一例を示す横断面図である。
【０１２９】
図１２に示すように、第４の変形例による照明システム１は、第３の変形例の構成に対して、左右の側面反射シート２２１、２２２を削除した構成である。図１２の例において、左側面遮光シート２３１は、左側面２１ｂに接していてもよく、または、左側面２１ｂから離間していてもよい。また、右側面遮光シート２３２は、右側面２１ｃに接していてもよく、または、右側面２１ｃから離間していてもよい。
【０１３０】
図１２の例によれば、第３の変形例のように、左右の側面反射シート２２１、２２２で光が反射されないので、導光板２１１の左右の側面２１ｂ、２１ｃから出射された光のうち、大部分の光Ｌ４Ｌ、Ｌ４Ｒが左右の側面遮光シート２３１、２３２で遮光される。
【０１３１】
したがって、第４の変形例によれば、縦目地化粧シート６２の非発光領域Ｚ４を更に暗くすることができるので、より効果的に鉛直方向ｄ１における照明システム１の外観の調和をとることができる。
【０１３２】
（第５の変形例）
図１３は、本実施形態の第５の変形例による照明システム１に含まれる照明装置２０の一例を示す分解斜視図である。図１４は、本実施形態の第５の変形例による照明システム１に含まれる照明装置２０の一例を示す横断面図である。
【０１３３】
第５の変形例による照明システム１は、導光板２１１と光拡散シート２１２との間に、導光板２１１から面光源化粧シート６１に向かう光の光量を調整する調整シート２４を備える。
【０１３４】
調整シート２４は、前面調整シート部２４１と、減光層の一例である左側面調整シート部２４２と、減光層の一例である右側面調整シート部２４３と、を有する。
【０１３５】
前面調整シート部２４１は、導光板２１１の前面である出光面２１１ａに対面して配置され、鉛直方向ｄ１における下方ｄ１２に位置するボード５による非発光領域Ｚ３に近接する位置で、発光面化粧シート部６１ａによる発光領域Ｚ１からの出射光量を低下させる層である。
【０１３６】
図１３の例において、前面調整シート部２４１は、可視光透過性を有した透明な基材２４ａと、基材２４ａ上に設けられた光吸収部２４ｂと、を含んでいる。光吸収部２４ｂは、例えば可視光吸収性を有した顔料を含んでおり、可視光吸収機能を有する。一例として、光吸収部２４ｂは、カーボンブラックやチタンブラックを含む。
【０１３７】
例えば、前面調整シート部２４１の或る領域での光吸収能を、当該領域よりも上方ｄ１１に位置して発光体２１０に近接する他の或る領域での前面調整シート部２４１の光吸収能よりも強くすることで、下方ｄ１２に位置してボード５による非発光領域Ｚ３に近接する領域からの出射光量を低下させることができる。さらに、任意に選択される領域での前面調整シート部２４１の光吸収能を、当該領域よりも上方ｄ１１に位置する他の領域での前面調整シート部２４１の光吸収能以上とすることで、下方ｄ１２に位置する非発光領域Ｚ３に近接するにしたがい出射光量を連続的に低下させることが可能となる。このような前面調整シート部２４１の構成により、発光面２１ａは、鉛直方向ｄ１に沿って透過率が連続的に変化してもよい。前面調整シート部２４１によれば、発光領域Ｚ１内の明るさを、非発光領域Ｚ３に近接する領域において非発光領域Ｚ３から離間する領域よりも暗くすることができる。この結果、発光面化粧シート部６１ａによる発光領域Ｚ１とボード５による非発光領域Ｚ３との間における光の継ぎ目を目立たなくして、面光源装置２１の存在感を効果的に薄めることができる。
【０１３８】
なお、可視光吸能は、顔料の含有密度、光吸収部２４ｂの配置密度、光吸収部２４ｂの厚さ等により調節することができる。
【０１３９】
左側面調整シート部２４２は、導光板２１１の左側面２１ｂから左側面化粧シート部６１ｂに向かう光を減光する層である。すなわち、左側面調整シート部２４２は、左側面２１ｂ側から入射した光の光量を低下させて左側面化粧シート部６１ｂ側に出射する層である。図１３に示される例において、左側面調整シート部２４２は、左側面２１ｂ側から入射した光を位置的に部分的に遮光することで、左側面化粧シート部６１ｂ側に向かう光の総光量を低下させる層である。
【０１４０】
左側面調整シート部２４２は、導光板２１１の左側面２１ｂおよび左側面化粧シート部６１ｂの少なくとも一方に接した状態で水平方向ｄ２において左側面２１ｂおよび左側面化粧シート部６１ｂに重なっていてもよい。または、左側面調整シート部２４２は、導光板２１１の左側面２１ｂおよび左側面化粧シート部６１ｂの少なくとも一方から離間した状態で水平方向ｄ２において左側面２１ｂおよび左側面化粧シート部６１ｂに重なっていてもよい。
【０１４１】
右側面調整シート部２４３は、導光板２１１の右側面２１ｃから右側面化粧シート部６１ｃに向かう光を減光する層である。すなわち、右側面調整シート部２４３は、右側面２１ｃ側から入射した光の光量を低下させて右側面化粧シート部６１ｃ側に出射する層である。図１３に示される例において、右側面調整シート部２４３は、右側面２１ｃ側から入射した光を位置的に部分的に遮光することで、右側面化粧シート部６１ｃ側に向かう光の総光量を低下させる層である。
【０１４２】
右側面調整シート部２４３は、導光板２１１の右側面２１ｃおよび右側面化粧シート部６１ｃの少なくとも一方に接した状態で水平方向ｄ２において右側面２１ｃおよび右側面化粧シート部６１ｃに重なっていてもよい。または、右側面調整シート部２４３は、導光板２１１の右側面２１ｃおよび右側面化粧シート部６１ｃの少なくとも一方から離間した状態で水平方向ｄ２において右側面２１ｃおよび右側面化粧シート部６１ｃに重なっていてもよい。
【０１４３】
左右の側面調整シート部２４２、２４３は、前面調整シート部２４１と同様に、基材２４ａと光吸収部２４ｂとを有する。また、左右の側面調整シート部２４２、２４３は、鉛直方向ｄ１に沿って透過率が連続的に変化していてもよい。例えば、左右の側面調整シート部２４２、２４３は、下方ｄ１２に向かって光吸収率が連続的に増加することで、下方ｄ１２に向かって透過率が連続的に減少してもよい。これにより、照明装置２０に隣接する縦目地化粧シート６２による発光領域Ｚ２の明るさの分布を、発光面化粧シート部６１ａによる発光領域Ｚ１の明るさの分布と揃えることができる。具体的には、縦目地化粧シート６２による発光領域Ｚ２の明るさを、下方ｄ１２に向かうにしたがって暗くすることができる。
【０１４４】
図１４の例において、発光体２１０から射出された光のうち、左方ｄ２１に広がる一部の光は、導光板２１１の左側面２１ｂから左方ｄ２１に出射された後に、左側面調整シート部２４２に入射する。左側面調整シート部２４２に入射した光のうち、左側面調整シート部２４２の光吸収率に応じた一部の光Ｌ５Ｌは、左側面調整シート部２４２で吸収され、その他の一部の光は、左側面調整シート部２４２で反射されるか、または、左側面調整シート部２４２を透過する。左側面調整シート部２４２を透過した光の一部Ｌ１Ｌは、左側面化粧シート部６１ｂで反射された後に、光拡散シート２１２の左縁部を経由して発光領域Ｚ１の左縁部から前方に射出されてもよい。また、発光体２１０から射出された光のうち、右方ｄ２２に広がる一部の光は、導光板２１１の右側面２１ｃから右方ｄ２２に出射された後に、右側面調整シート部２４３に入射する。右側面調整シート部２４３に入射した光のうち、右側面調整シート部２４３の光吸収率に応じた一部の光Ｌ５Ｒは、右側面調整シート部２４３で吸収され、その他の一部の光は、右側面調整シート部２４３で反射されるか、または、右側面調整シート部２４３を透過する。右側面調整シート部２４３を透過した光の一部Ｌ１Ｒは、右側面化粧シート部６１ｃで反射された後に、光拡散シート２１２の右縁部を経由して発光領域Ｚ１の右縁部から前方に射出されてもよい。
【０１４５】
このように、左側面調整シート部２４２で光を吸収することにより、左側面化粧シート部６１ｂのみを設ける場合と比較して、照明装置２０の左側の縦目地ｊｄ２に照射される光Ｌ２Ｌの光量をより効果的に低減させることができる。また、右側面調整シート部２４３で光を吸収することで、右側面化粧シート部６１ｃのみを設ける場合と比較して、照明装置２０の右側の縦目地ｊｄ２に照射される光Ｌ２Ｒの光量をより効果的に低減させることができる。
【０１４６】
したがって、図１４の例によれば、左側面調整シート部２４２および右側面調整シート部２４３によって縦目地ｊｄ２に照射される光の光量をより効果的に低減させることで、照明装置２０の発光領域Ｚ１に対して縦目地ｊｄ２の発光領域Ｚ２が明るくなり過ぎることをより効果的に防止することができる。これにより、より効果的に照明システム１の水平方向ｄ２の明るさの調和をとることができるので、空間Ｓの利用者に違和感を与えることをより効果的に防止することができる。
【０１４７】
さらに、図１４の例によれば、左右の側面調整シート部２４２、２４３の光吸収率の分布を前面調整シート部２４１の光吸収率の分布と揃えることで、照明装置２０に隣接する縦目地化粧シート６２による発光領域Ｚ２の明るさの分布を、発光面化粧シート部６１ａによる発光領域Ｚ１の明るさの分布と揃えることができる。これにより、より効果的に照明システム１の水平方向ｄ２の明るさの調和をとることができるので、空間Ｓの利用者に違和感を与えることをより効果的に防止することができる。
【０１４８】
以上述べたように、第５の変形例によれば、発光領域Ｚ１と発光領域Ｚ１の外側の非発光領域Ｚ３との間における光の継ぎ目を目立たなくしながら、照明システム１の水平方向ｄ２の明るさの調和をとることで、空間Ｓの利用者に違和感を与えることをより効果的に防止することができる。これにより、空間Ｓの雰囲気をより効果的に演出することができる。
【０１４９】
（第６の変形例）
図１５は、本実施形態の第６の変形例による照明システム１に含まれる照明装置２０の一例を示す横断面図である。
【０１５０】
図１５に示すように、第６の変形例による照明システム１は、第５の変形例の構成に加えて、更に、左側面調整シート部２４２と左側面化粧シート部６１ｂとの間に、拡散層の一例である左側面拡散シート２５１を備える。また、第６の変形例による照明システム１は、更に、右側面調整シート部２４３と右側面化粧シート部６１ｃとの間に、拡散層の一例である右側面拡散シート２５２を備える。
【０１５１】
左側面拡散シート２５１は、導光板２１１の左側面２１ｂから左側面化粧シート部６１ｂに向かう光を拡散する層である。左側面拡散シート２５１は、左側面調整シート部２４２および左側面化粧シート部６１ｂの少なくとも一方に接した状態で水平方向ｄ２において左側面調整シート部２４２および左側面化粧シート部６１ｂに重なっていてもよい。または、左側面拡散シート２５１は、左側面調整シート部２４２および左側面化粧シート部６１ｂの少なくとも一方から離間した状態で水平方向ｄ２において左側面調整シート部２４２および左側面化粧シート部６１ｂに重なっていてもよい。
【０１５２】
右側面拡散シート２５２は、導光板２１１の右側面２１ｃから右側面化粧シート部６１ｃに向かう光を拡散する層である。右側面拡散シート２５２は、右側面調整シート部２４３および右側面化粧シート部６１ｃの少なくとも一方に接した状態で水平方向ｄ２において右側面調整シート部２４３および右側面化粧シート部６１ｃに重なっていてもよい。または、右側面拡散シート２５２は、右側面調整シート部２４３および右側面化粧シート部６１ｃの少なくとも一方から離間した状態で水平方向ｄ２において右側面調整シート部２４３および右側面化粧シート部６１ｃに重なっていてもよい。
【０１５３】
左側面拡散シート２５１および右側面拡散シート２５２は、光拡散シート２１２と一体の構成であってもよく、または、別体の構成であってもよい。
【０１５４】
図１５の例において、発光体２１０から射出された光のうち、左方ｄ２１に広がる一部の光は、導光板２１１の左側面２１ｂから左方ｄ２１に出射された後に、左側面調整シート部２４２に入射する。左側面調整シート部２４２に入射した光のうち、左側面調整シート部２４２の光吸収率に応じた一部の光Ｌ５Ｌは、左側面調整シート部２４２で吸収され、その他の一部の光は、左側面調整シート部２４２で反射されるか、または、左側面調整シート部２４２を透過する。左側面調整シート部２４２を透過した光は、左側面拡散シート２５１に入射して、左側面拡散シート２５１で拡散される。左側面拡散シート２５１で拡散された光Ｌ６Ｌのうちの一部Ｌ１Ｌは、左側面化粧シート部６１ｂで反射された後に、光拡散シート２１２の左縁部を経由して発光領域Ｚ１の左縁部から前方に射出されてもよい。また、発光体２１０から射出された光のうち、右方ｄ２２に広がる一部の光は、導光板２１１の右側面２１ｃから右方ｄ２２に出射された後に、右側面調整シート部２４３に入射する。右側面調整シート部２４３に入射した光のうち、右側面調整シート部２４３の光吸収率に応じた一部の光Ｌ５Ｒは、右側面調整シート部２４３で吸収され、その他の一部の光は、右側面調整シート部２４３で反射されるか、または、右側面調整シート部２４３を透過する。右側面調整シート部２４３を透過した光は、右側面拡散シート２５２に入射して、右側面拡散シート２５２で拡散される。右側面拡散シート２５２で拡散された光Ｌ６Ｒのうちの一部の光Ｌ１Ｒは、右側面化粧シート部６１ｃで反射された後に、光拡散シート２１２の右縁部を経由して発光領域Ｚ１の右縁部から前方に射出されてもよい。
【０１５５】
このように、左側面拡散シート２５１で光を拡散させることで、照明装置２０の左側の縦目地ｊｄ２に照射される光Ｌ２Ｌの光量をより効果的に低減させることができる。また、右側面拡散シート２５２で光を拡散させることで、照明装置２０の右側の縦目地ｊｄ２に照射される光Ｌ２Ｒの光量をより効果的に低減させることができる。
【０１５６】
したがって、第６の変形例によれば、左側面拡散シート２５１および右側面拡散シート２５２によって縦目地ｊｄ２に照射される光の光量をより効果的に低減させることで、照明装置２０の発光領域Ｚ１に対して縦目地ｊｄ２の発光領域Ｚ２が明るくなり過ぎることをより効果的に防止することができる。これにより、より効果的に照明システム１の水平方向ｄ２の明るさの調和をとることができるので、空間Ｓの利用者に違和感を与えることをより効果的に防止することができる。
【０１５７】
（第７の変形例）
図１６は、本実施形態の第７の変形例による照明システム１を示す斜視図である。図１７は、本実施形態の第７の変形例による照明システム１に含まれる照明装置２０の一例を示す縦断面図である。
【０１５８】
図１６に示すように、第７の変形例による照明システム１においては、照明装置２０とボード５とが、鉛直方向ｄ１の間隙部である横目地ｊｄ１を空けて配置されている。横目地ｊｄ１には、横目地化粧シート６３が設けられている。
【０１５９】
面光源化粧シート６１とボード化粧シート６４との間で外観を調和させるため、横目地化粧シート６３は、面光源化粧シート６１およびボード化粧シート６４との間で、色彩、模様および質感等の外観が揃っていることが望ましい。
【０１６０】
第７の変形例によれば、縦目地ｊｄ２に加えて横目地ｊｄ１を設けることで、縦目地ｊｄ２のみを有する場合とは異なる立体感を演出することができる。また、横目地化粧シート６３を備えることで、鉛直方向ｄ１の外観の調和を図ることが可能となる。
【０１６１】
（第８の変形例）
図１８は、本実施形態の第８の変形例による照明システム１に含まれる照明装置２０の一例を示す縦断面図である。
【０１６２】
これまでは、面光源装置２１とボード５とを異なる化粧シート６１、６４で覆う照明システム１の例について説明した。これに対して、図１８に示すように、面光源装置２１とボード５とを共通の面光源化粧シート６１で覆ってもよい。
【０１６３】
第８の変形例によれば、部品点数を削減することができ、かつ、照明装置２０とボード５との間で化粧シート６１の継ぎ目を無くすことができる。
【０１６４】
（第９の変形例）
図１９は、本実施形態の第９の変形例による照明システム１に含まれる照明装置２０の一例を示す縦断面図である。
【０１６５】
図６の例では、導光板２１１の取出要素として、凹部２１１ｃを例示した。他の例として、図１９に示すように、取出要素は、導光板２１１に積層された光散乱層２１５とすることができる。光散乱層２１５は、バインダーとして機能する支持層２１５ａと、支持層２１５ａ内に分散した光散乱要素２１５ｂと、を有している。支持層２１５ａは、可視光透過性を有した樹脂から形成され得る。光散乱要素２１５ｂは、反射、屈折、回折等によって、光散乱層２１５内を進行する光の進行方向を変化させる機能を有している。光散乱要素２１５ｂは、支持層２１５ａと異なる屈折率を有していてもよいし、金属等の光反射性を有した材料によって形成されていてもよい。光散乱要素２１５ｂの具体例として、金属化合物、気体を含有した多孔質物質、金属化合物を周囲に保持した樹脂ビーズ、白色微粒子、気泡、周囲と屈折率が異なる粒子が、例示され得る。図１８の例において、導光板２１１内を進む光Ｌ１，Ｌ２は、光散乱層２１５内で光散乱要素２１５ｂと衝突することで進行方向を変化させ、その後、導光板２１１から出射することが可能となる。
【０１６６】
なお、光散乱層２１５の支持層２１５ａの屈折率は、導光板２１１の屈折率以上となっていることが好ましい。光散乱層２１５の支持層２１５ａの屈折率が導光板２１１の屈折率よりも低いと、導光板２１１内を進む光Ｌ３が、導光板２１１と光散乱層２１５との界面で全反射して、光散乱層２１５に入射できない可能性がある。このような光Ｌ３は、上側面２１ｄから導光板２１１に入射した後、導光板２１１内を反対面２１１ｅまで進むことになる。このような光の存在は、発光体２１０のエネルギー効率が低下させてしまうことになる。支持層２１５ａの屈折率を導光板２１１の屈折率以上とすることで、導光板２１１と光散乱層２１５との界面での全反射を効果的に防止して、光散乱層２１５が取出要素としてより効果的に機能し得る。
【０１６７】
（第１０の変形例）
図２０は、本実施形態の第１０の変形例による照明システム１に含まれる照明装置２０の一例を示す縦断面図である。
【０１６８】
さらに他の例として、図２０に示すように、取出要素として機能する光散乱要素２１５ｂが、導光板本体内に分散していてもよい。図２０に示された導光板２１１では、導光板２１１内を進む光Ｌが、光散乱要素２１５ｂに衝突することで散乱し、導光板２１１から出射することができる。光散乱要素２１５ｂとしては、上述した光散乱要素２１５ｂと同様に構成され得る。
【０１６９】
また、導光板２１１は、複数種類の取出要素を含むようにしてもよい。図２０に示された例において、導光板２１１は、光散乱要素２１５ｂを含有し、さらに、凹部２１１ｃを有している。
【０１７０】
さらに、導光板２１１の各領域での凹部２１１ｃに起因した光散乱能は、一定ではなく、異なっていてもよい。すなわち、導光板２１１の光散乱能が、板面に沿った各領域で変化するようにしてもよい。さらに言い換えると、導光板２１１の或る領域での光散乱能は、当該領域から板面に沿ってずれた他の領域での光散乱能と異なっていてもよい。導光板２１１のパネル面に沿った各領域での光散乱能を変化させることにより、各領域からの出射光量を調節することが可能となる。
【０１７１】
光散乱能は、導光板２１１がその内部を通過する光を散乱させる性能の強さのことである。光散乱能の程度は、一例として、ＪＩＳ−Ｋ７３６１−１に準拠して測定されるヘイズ値［％］を用いて評価することができ、ヘイズ値［％］が高いと光散乱能が高いということになる。したがって、図示された例では、導光板２１１の板面への法線方向に透過する透過ヘイズ値が、導光板２１１の各領域で一定ではなく、異なる値を持つようになる。ヘイズ値［％］は、ヘイズメーター（村上色彩技術研究所製、製品番号；ＨＭ−１５０）を用いてＪＩＳ  Ｋ７１３６に準拠した方法により測定することができる。
【０１７２】
（その他の適用例）
これまでは、建物の壁Ｗに設置される照明装置２０で構成された照明システム１の例について説明した。これに対して、図２１に示すように、照明システム１は、例えば、オフィスにおいて隣り合う机ＤすなわちパソコンＰＣ同士を仕切るように配置される間仕切りに適用された照明装置２０で構成されてもよい。図２１の例において、照明装置２０の下端部は、図示しない床面に達している。
【０１７３】
図２１の例によれば、左側面化粧シート部６１ｂによって照明装置２０から左方ｄ２１に照射される光の光量を低減させることができ、また、右側面化粧シート部６１ｃによって照明装置２０から右方ｄ２２に照射される光の光量を低減させることができる。これにより、隣り合う照明装置２０同士の境界部や照明装置２０の水平方向ｄ２の端部が明るくなり過ぎることを防止して、照明システム１の水平方向ｄ２の明るさの調和をとることができるので、机ＤすなわちパソコンＰＣの利用者や机Ｄの周囲に存在する人に違和感を与えることを防止することができる。
【０１７４】
また、図２２に示すように、図２１の例に対して発光体の配置位置の上下を逆転させることで、上方ｄ１１に向かって発光面化粧シート部６１ａからの出射光量が低下するように構成してもよい。
【０１７５】
なお、以上において一実施の形態に対する具体例および変形例を説明してきたが、当然に、複数の例を適宜組み合わせて適用することも可能である。
【０１７６】
本開示のいくつかの実施形態を説明したが、これらの実施形態は、例として提示したものであり、開示の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、本開示の範囲や要旨に含まれると同様に、特許請求の範囲に記載された本開示とその均等の範囲に含まれるものである。
【符号の説明】
【０１７７】
２０  照明装置
２１  面光源装置
２１ａ  発光面
２１ｂ  左側面
２１ｃ  右側面
２１ｄ  上側面
２１ｅ  下側面
６１  面光源化粧シート
６１ｂ  左側面化粧シート部
６１ｃ  右側面化粧シート部
７１  上フレーム
７２  下フレーム
【図１】
2019106291.tif 000003
【図２】
2019106291.tif 000004
【図３】
2019106291.tif 000005
【図４Ａ】
2019106291.tif 000006
【図４Ｂ】
2019106291.tif 000007
【図５】
2019106291.tif 000008
【図６】
2019106291.tif 000009
【図７】
2019106291.tif 000010
【図８】
2019106291.tif 000011
【図９】
2019106291.tif 000012
【図１０】
2019106291.tif 000013
【図１１】
2019106291.tif 000014
【図１２】
2019106291.tif 000015
【図１３】
2019106291.tif 000016
【図１４】
2019106291.tif 000017
【図１５】
2019106291.tif 000018
【図１６】
2019106291.tif 000019
【図１７】
2019106291.tif 000020
【図１８】
2019106291.tif 000021
【図１９】
2019106291.tif 000022
【図２０】
2019106291.tif 000023
【図２１】
2019106291.tif 000024
【図２２】
2019106291.tif 000025